(57)【要約】【課題】糞を確実に受け取ることができるのは勿論のこと、糞を収容した袋を枠体から簡便かつ容易に取り外すことができる糞取り器を提供する。【解決手段】糞取り器は、収容袋２と、開口部を有する筒状の支持枠体３と、環状の保持体４と、把手体５とを備えている。前記支持枠体は、前記開口部に挿通された前記収容袋の袋口側部分７が前記開口部の上縁部にて外側に折り返された状態で当該収容袋を支持し得るものである。前記保持体は、折り返された前記収容袋の袋口側部分からなる折返部の少なくとも一部を前記支持枠体の外周面に重ね合わせた状態で縛り付けて固定し、前記収容袋を前記支持枠体に保持し得るものである。前記把手体は、前記支持枠体に連結されている。そして、前記支持枠体が、前記保持体の上面全体および当該支持枠体と前記把手体との連結部分を上方から覆うように前記支持枠体の径方向外側に向かって膨出する膨出部１０を有している。【選択図】図４
2014171415.tif 000002
【特許請求の範囲】
【請求項１】
糞を収容するための収容袋と、
前記収容袋を上下方向に挿通し得る開口部を有する筒状の支持枠体であって、前記開口部に挿通された前記収容袋の袋口側部分が前記開口部の上縁部にて外側に折り返された状態で当該収容袋を支持し得る支持枠体と、
折り返された前記収容袋の袋口側部分からなる折返部の少なくとも一部を前記支持枠体の外周面に重ね合わせた状態で縛り付けて固定し、前記収容袋を前記支持枠体に保持し得る環状の保持体と、
前記支持枠体に連結された把手体とを備え、
前記支持枠体は、前記保持体の上面全体および当該支持枠体と前記把手体との連結部分を上方から覆うように前記支持枠体の径方向外側に向かって膨出する膨出部を有していることを特徴とする糞取り器。
【請求項２】
前記把手体は、前記支持枠体との連結部分から前記支持枠体の膨出部の下方に向かって延びた後に、屈曲して前記支持枠体の径方向外側、又は径方向外側かつ上方に向かって延びるように形成されていることを特徴とする請求項１に記載の糞取り器。
【請求項３】
前記膨出部の下側角部は、曲面又は斜面に形成され、
前記収容袋の折返部は、前記膨出部の下面と接触しない状態で前記膨出部の下側角部に当接しつつ前記膨出部よりも下方で前記保持体にて前記支持枠体に固定されていることを特徴とする請求項１又は請求項２に記載の糞取り器。
【発明の詳細な説明】
【技術分野】
【０００１】
本発明は、犬等のペット用糞取り器に関する。
【背景技術】
【０００２】
従来、把手付きの枠体と、この枠体に取り替え自在に取り付けられる袋と、この袋の開口端部を前記枠体に連結する連結具とを有する、犬等のペット用糞取り器が知られている（例えば、特許文献１参照。）。
【０００３】
しかしながら、このような糞取り器は、糞を収容した袋を枠体から取り外す前に、袋の開口端部と枠体との連結状態を解除すべく連結具を枠体から一旦外す必要があった。また、この際には、連結具を紛失しないように管理しつつ袋の取外作業を行わなければならなかった。したがって、袋の取外作業が手間がかかり煩わしいものとなっていた。
【先行技術文献】
【特許文献】
【０００４】
【特許文献１】実用新案登録第３０６４４０５号公報
【発明の概要】
【発明が解決しようとする課題】
【０００５】
本発明は、このような問題を解決するためになされたものであり、糞を確実に受け取ることができるのは勿論のこと、糞を収容した袋を枠体から簡便かつ容易に取り外すことができる糞取り器を提供することを目的とする。
【課題を解決するための手段】
【０００６】
請求項１に係る発明は、糞を収容するための収容袋と、前記収容袋を上下方向に挿通し得る開口部を有する筒状の支持枠体であって、前記開口部に挿通された前記収容袋の袋口側部分が前記開口部の上縁部にて外側に折り返された状態で当該収容袋を支持し得る支持枠体と、折り返された前記収容袋の袋口側部分からなる折返部の少なくとも一部を前記支持枠体の外周面に重ね合わせた状態で縛り付けて固定し、前記収容袋を前記支持枠体に保持し得る環状の保持体と、前記支持枠体に連結された把手体とを備え、前記支持枠体は、前記保持体の上面全体および当該支持枠体と前記把手体との連結部分を上方から覆うように前記支持枠体の径方向外側に向かって膨出する膨出部を有していることを特徴とする糞取り器である。
【０００７】
この発明によれば、糞を確実に受け取ることができるのは勿論のこと、糞を前記収容袋に収容した状態で、前記収容袋の折返部に対する前記保持体の保持力よりも大きな引張力で前記糞取り器の利用者が前記収容袋の閉塞側部分を前記支持枠体の開口部の下方へ引っ張ることによって、前記保持体による前記収容袋の保持状態を解除しつつ前記折返部を前記支持枠体の開口部内に向けて漸次上方へ移動させて、前記収容袋を前記開口部から引き抜き、前記収容袋を前記支持枠体から取り外すことが可能となる。しかも、この際には、前記開口部内に向かう前記収容袋の上方への移動に伴って前記保持体も上方へ移動しようとするが、前記支持枠体の膨出部がその下面で前記保持体に当接して当該保持体の抜け止めの役目を果たすこととなる。したがって、前記収容袋の引抜作業時に、前記保持体が前記支持枠体から脱落することを防止することができる。
【０００８】
請求項２に係る発明は、請求項１に係る糞取り器において、前記把手体が、前記支持枠体との連結部分から前記支持枠体の膨出部の下方に向かって延びた後に、屈曲して前記支持枠体の径方向外側、又は径方向外側かつ上方に向かって延びるように形成されていることを特徴とするものである。
【０００９】
この発明によれば、前記収容袋の前記支持枠体への取付時に、前記収容袋を前記把手体の屈曲部分付近まで前記把手体に邪魔されることなく折り返すことが可能となる。したがって、前記保持体により前記折返部の少なくとも一部を前記支持枠体の全周にわたって前記支持枠体の外周面に重ね合わせた状態で縛り付けやすくなる。その結果、前記収容袋を前記支持枠体に十分強固に保持することができる。
【００１０】
請求項３に係る発明は、請求項１又は請求項２に記載の糞取り器において、前記膨出部の下側角部が曲面又は斜面に形成され、前記収容袋の折返部が、前記膨出部の下面と接触しない状態で前記膨出部の下側角部に当接しつつ前記膨出部よりも下方で前記保持体にて前記支持枠体に固定されていることを特徴とするものである。
【００１１】
この発明によれば、前記収容袋を前記支持枠体から取り外すために下方へ引張ったとき、前記収容袋の折返部が、前記保持部の上方で前記下側角部に摺接して進行方向を緩やかに変えながら、前記支持枠体の開口部内へ向かって上方へ案内されることとなる。したがって、前記収容袋を前記支持枠体の開口部から円滑に引き抜くことができるとともに、前記膨出部との接触による前記折返部の破れを抑制できる。
【発明の効果】
【００１２】
本発明によれば、糞を確実に受け取ることができるのは勿論のこと、糞を収容した袋を枠体から簡便かつ容易に取り外すことができる糞取り器を提供することができる。
【図面の簡単な説明】
【００１３】
【図１】本発明の一実施形態に係る糞取り器の側面図。
【図２】図１に示す糞取り器の分解斜視図。
【図３】図１に示す糞取り器の使用状態を示す説明図。
【図４】図１に示す糞取り器において保持体が収容袋を支持枠体に保持する状態を示す側面図。（ａ）保持状態が完全に維持されている場合を示す図。（ｂ）保持状態が解除されつつある場合を示す図。
【図５】図１に示す糞取り器における支持枠体の側面図。
【図６】図１に示す糞取り器における支持枠体の平面図。
【図７】図１に示す糞取り器の一部拡大断面図。
【発明を実施するための形態】
【００１４】
本発明の好ましい実施形態について図面を参照しつつ説明する。
【００１５】
図１に、本発明の一実施形態に係る糞取り器１の側面図を示す。図２に、前記糞取り器１の分解斜視図を示す。
【００１６】
前記糞取り器１は、犬等のペットが排泄した糞を回収するための器具であり、図１及び図２に示すように、糞を収容するための収容袋２と、前記収容袋２を支持するための支持枠体３と、前記支持枠体３に前記収容袋２を保持し得る保持体４と、前記支持枠体３に連結された把手体５とを備えている。
【００１７】
前記支持枠体３は、その軸方向に沿って延びる貫通孔を有する筒状に形成されており、上下方向に延在するように設けられている。前記支持枠体３において、前記貫通孔により形成された開口部６には、前記収容袋２が前記支持枠体３の軸方向（上下方向）に挿通し得るようになっている。
【００１８】
そして、前記支持枠体３は、前記収容袋２の袋口側部分７が前記支持枠体３よりも上方に位置するように前記開口部６に挿通されている状態で前記開口部６の上縁部８にて前記支持枠体３の径方向外側に折り返されることによって、前記収容袋２を支持し得るように構成されている。
【００１９】
前記保持体４は、環状に形成されており、折り返された前記収容袋２の袋口側部分７からなる折返部９の少なくとも一部を前記支持枠体３の外周面に重ね合わせた状態で縛り付けて固定し、前記収容袋２を前記支持枠体３に保持し得るように構成されている。
【００２０】
また、前記支持枠体３には、膨出部１０が設けられている。前記膨出部１０は、前記折返部９の少なくとも一部が前記保持体４により前記支持枠体３の外周面に固定された状態で当該保持体４の上面全体および当該支持枠体３と前記把手体５との連結部分を上方から覆うように前記支持枠体３の径方向外側に向かって膨出するものとされている。
【００２１】
本実施形態に係る前記糞取り器１は、以上のように構成され、犬等のペットを散歩させる場合などに利用される。具他的には、このよう場合において、犬等のペットが排泄行為を始めようとする時、図３に示すように、前記糞取り器１の利用者によって前記収容袋２で覆われた状態の前記支持枠体３の開口部６が、犬等のペットの尻１２付近の排泄位置に移動され、排泄行為が終了するまでその排泄位置に保持される。これにより、犬等のペットから排泄された糞１３を前記収容袋２で受けて、その内部に確実に回収することが可能となる。したがって、前記糞取り器１によれば、犬等のペットの糞１３を簡便に処理することができる。
【００２２】
また、糞１３が前記収容袋２に収容されたときには、図４（ａ）に示すように、前記収容袋２は前記支持枠体３に前記保持体４により保持されている。この際、前記収容袋２（前記折返部９）に対する前記保持体４の保持力よりも大きな引張力で前記糞取り器１の利用者が前記収容袋２の閉塞側部分１１を前記支持枠体３の開口部６の下方（図４（ｂ）に示す矢印１４方向）へ引っ張ることによって、図４（ｂ）に示すように、前記保持体４による前記収容袋２の保持状態を解除しつつ前記折返部９（前記収容袋２の袋口１５）を前記開口部６内に向けて漸次上方へ移動させて、前記収容袋２を前記開口部６から下方へ引き抜き、前記収容袋２を前記支持枠体３から取り外すことが可能となる。その結果、前記収容袋２の廃棄処理を容易に行うことができる。
【００２３】
しかも、この際には、前記開口部６内に向かう前記折返部９の上方への移動に伴って前記保持体４も上方へ向かって移動しようとするが、前記支持枠体３の膨出部１０がその下面で前記保持体４に当接して当該保持体４の抜け止めの役目を果たすこととなる。したがって、前記収容袋２の引抜作業時に、前記保持体４が前記支持枠体３から脱落することを防止することができる。
【００２４】
よって、本実施形態に係る前記糞取り器１によれば、糞１３を収容した前記収容袋２を前記支持枠体３から取り外す前に、前記支持枠体３に対する前記収容袋２の保持状態を解除すべく前記保持体４を前記支持枠体３から外す必要がなく、また、前記収容袋２の取外に際し、前記保持体４の脱落による紛失等の問題を気にしなくてもよいので、糞１３を収容した前記収容袋２を前記支持枠体３から簡便かつ容易に取り外すことができる。
【００２５】
次に、本実施形態に係る前記糞取り器１について、より詳細に説明する。
【００２６】
図５に、前記糞取り器１における前記支持枠体３の側面図を示す。図６に、前記支持枠体３の平面図を示す。図７に、前記保持体４が前記収容袋２の折返部９を前記支持枠体３に対し固定する部分の一部拡大断面図を示す。
【００２７】
前記収容袋２は、柔軟性を有するものであり、図２に示すように、前記支持枠体３の開口部６以上の開口径を有する袋口１５を当該収容袋２の一端部に備えるものである。前記収容袋２は、例えば、ポリエチレン製の袋であり、食料品店での買い物時に得られる袋等を再利用し得るものとなっている。
【００２８】
また、前記収容袋２は、糞の収容状態に応じて任意に交換可能なものである。交換作業に際し、前記収容袋２の前記支持枠体３からの取外は前述のように行われる一方、前記収容袋２の前記支持枠体３への取付は次のように行われる。すなわち、まず前記収容袋２の袋口側部分７が前記支持枠体３の上縁端８よりも上方に位置するように、前記収容袋２が前記開口部６に挿通される。つづいて、前記収容袋２の中途部が前記開口部６内に位置した状態で、前記収容袋２の袋口側部分７が前記膨出部１０に被さるように外側へ折り返される。最後に、形成された前記折返部９の少なくとも一部が、前記膨出部１０よりも下方において前記支持枠体３の外周面に重ね合わされた状態で前記保持体４により縛り付けられて固定される。
【００２９】
図５及び図６に示すように、前記支持枠体３は略円環状の筒体とされている。前記支持枠体３の開口部６の大きさは、犬等のペットの大きさに応じて任意に設定可能であるが、具体的には、例えば、犬等のペットにおける左右後脚の間の股幅程度となるように設定される。
【００３０】
本実施形態において、前記支持枠体３は、連結部１６と、前記連結部１６と着脱可能に連結された支持部１７とを備えている。前記連結部１６は、針金で構成されており、円環状に形成されている。前記支持部１７は、合成樹脂で構成されており、軸方向を上下方向とする略円筒状に形成されている。
【００３１】
図７にも示すように、前記支持部１７の上部には、前記膨出部１０が備えられている。そして、前記支持部１７の上下中途部には、その外周面における所定の固定位置１８で、外側から被さるように対向配置された前記収容袋２の折返部９の少なくとも一部の上から前記保持体４が前記支持部１７の軸周りの全周にわたって巻回され得るようになっている。
【００３２】
前記膨出部１０の外径は、前記支持部１７の上下中途部の外径、及びこの上下中途部に前記折返部９の少なくとも一部を介して巻回された状態の前記保持体４の外径よりも大きく設定されている。前記膨出部１０を備えた前記支持部１７の上部の内径は、前記支持部１７の上下中途部の内径と略同一に設定されている。
【００３３】
図７に示すように、前記支持部１７の径方向に関して、前記膨出部１０の下面内側には、下方に向けて開口する凹状の嵌合溝１９が形成されている。前記嵌合溝１９は、前記連結部１６を嵌合して保持し得る円環状とされている。前記支持部１７と同軸心上に配置された前記連結部１６が前記嵌合溝１９に嵌合されることによって、前記支持部１７が前記連結部１６に一体的に連結されている。この状態で、前記連結部１６は前記嵌合溝１９から外部（下方）に露出しないことが好ましい。
【００３４】
また、図５及び図７に示すように、本実施形態において、前記支持部１７は、その下部が当該支持部１７の上下中途部との境界付近から下方へ行くに従って内径及び外径が大きくなる裾広がり形状の筒体とされている。ここで、前記支持部１７の下端部の外径は、前記膨出部１０の外径と同程度又は若干小さい程度に設定されている。
【００３５】
なお、本発明における支持枠体は、本実施形態においては針金製の前記連結部１６及びこれとは別体の合成樹脂製の前記支持部１７からなる前記支持枠体３としているが、これに特に限定するものではなく、例えば、単に合成樹脂だけからなる支持枠体であってもよい。
【００３６】
また、本発明における支持枠体は、本実施形態においては略円環状の筒体としているが、これに限定されるものではなく、例えば、楕円形状、多角形状、円弧状の筒体としてもよい。
【００３７】
図２に示すように、前記保持体４は、紐状体から構成されており、環状に形成され得るものである。本実施形態において、前記保持体４は、輪ゴムや環状ゴムベルト等のような弾性を有する紐状体から構成され、前記収容袋２が前記支持枠体３の内径に沿って開口した状態に保持されるように前記収容袋２の折返部９を当該前記支持枠体３に緊縛し得るようになっている。
【００３８】
なお、本発明における保持体は、本実施形態においては弾性を有する紐状体からなる前記保持体４としているが、収容袋の折返部を支持枠体に対して締めつけて固定することが可能であり且つ必要に応じて折返部を保持体と前記支持枠体との間から引き抜くことができるものであればよい。例えば、本発明における保持体は、単なる紐であってもよい。
【００３９】
図５及び図６に示すように、前記把手体５は、前記支持枠体３との連結部分から前記支持枠体３の膨出部１０の下方に向かって延びた後に、屈曲して前記支持枠体３の径方向外側、又は径方向外側かつ上方に向かって延びるように形成されている。前記把手体５は、本実施形態においては針金で構成され、前記支持枠体３の連結部１６と一体的に形成されている。なお、前記把手体５の材質は、特に限定されず、前記支持枠体３の材質等に応じて選定される。
【００４０】
詳しくは、前記把手体５は、第１延在部２１と第２延在部２２とを有し、略へ字状に形成されている。前記第１延在部２１は、長手方向一端部で前記連結部１６に一体的に連結され、長手方向他端が前記膨出部１０の下面に対し所定幅だけ下方（本実施形態においては前記支持枠体３（前記支持部１７）の下端部付近）に位置するように、その連結部分から前記支持枠体３の外周面に沿って延出されている。前記第２延在部２２は、長手方向一端部で前記第１延在部２１の長手方向他端部に一体的に連結され、長手方向他端部が前記支持枠体３の径方向外側方又は径方向外側斜め上方に位置するように、その連結部分から前記直線状に延出されている。
【００４１】
このような構成により、前記収容袋２の前記支持枠体３への取付時に、前記収容袋２を前記把手体５の屈曲部分（即ち、前記第１延在部２１と前記第２延在部２２と連結部分）付近まで前記把手体５に邪魔されることなく折り返すことが可能となる。したがって、前記保持体４により前記折返部９の少なくとも一部を前記支持枠体３の全周にわたって前記支持枠体３の外周面に重ね合わせた状態で縛り付けやすくなる。その結果、前記収容袋２を前記支持枠体３に十分強固に保持することができる。
【００４２】
また、図７に示すように、前記支持枠体３において、前記膨出部１０の下側角部２３が曲面又は斜面に形成されている。本実施形態においては、前記膨出部１０の下端部に径方向外側へ突出する鍔部２４が備えられ、この鍔部２４の下側角部２５が前記膨出部１０の下側角部２３として曲面状に面取りされている。
【００４３】
そして、前記収容袋２の折返部９が、前記膨出部１０の下面２６と接触しない状態で、即ち前記膨出部１０の下面２６と前記折返部９うちのこれに対向する部分との間に隙間２７が形成された状態で、前記膨出部１０の下側角部２３に当接しつつ前記膨出部１０よりも下方で前記保持体４にて前記支持枠体３に固定されている。
【００４４】
このような構成により、前記糞取り器１の利用者が前記収容袋２を前記支持枠体３から取り外すために下方へ引張ったとき、前記収容袋２の折返部９が、前記保持体４よりも上方で前記下側角部２３に摺接して進行方向を緩やかに変えながら、前記支持枠体３の開口部６内へ向かって上方へ案内されることとなる。したがって、前記収容袋２を前記支持枠体３の開口部６から円滑に引き抜くことができるとともに、前記膨出部１０との接触による前記折返部９の破れを抑制できる。特に、本実施形態においては、前記鍔部２４によって前記折返部９のより緩やかな方向転換が実現されるため、前述の効果が高められている。
【００４５】
なお、ここでは、本実施形態のように、前記支持枠体３において前記折返部９と接触する角部、即ち、前記支持部１７（前記膨出部１０）の上外側角部２８及び前記支持部１７の上内側角部２９を曲面又は斜面に形成することが好ましい。この場合、前記収容袋２を前記支持枠体３の開口部６からより円滑に引き抜くことができるとともに、前記膨出部１０との接触による前記折返部９の破れをより抑制できる。
【符号の説明】
【００４６】
１    糞取り器
２    収容袋
３    支持枠体
４    保持体
５    把手体
６    開口部
７    収容袋の袋口側部分
９    収容袋の折返部
１０  膨出部
２３  膨出部の下側角部
２６  膨出部の下面
【図１】
2014171415.tif 000003
【図２】
2014171415.tif 000004
【図３】
2014171415.tif 000005
【図４】
2014171415.tif 000006
【図５】
2014171415.tif 000007
【図６】
2014171415.tif 000008
【図７】
2014171415.tif 000009